(57)【要約】【課題】各食品を収容した容器のうちから、必要なものだけを取り外して他の食品と独立させて個別に加熱や冷却処理をすることができる弁当ケースを提供すること。【解決手段】有底の容器であって、内部には間仕切り壁１１・１１…が配設され、これらの間仕切り壁１１・１１…に囲まれて収容部１２・１２…が形成される外容器１と、前記食品Ｆが収容可能な有底の内容器２とを具備して構成されており、前記外容器１の収容部１２内には食品Ｆを直接収容可能である一方、これら外容器１の収容部１２・１２…の少なくとも一つに適合する形状に作製された前記内容器２が個別に取り出し可能に構成するという技術的手段を採用した。【効果】各食品を収容した容器のうちから、必要なものだけを取り外すことができるように構成したことによって、希望の食品のみを他の食品と独立させて個別に加熱や冷却処理をすることができる。【選択図】　図４
0003098292.tif 000002
【実用新案登録請求の範囲】
【請求項１】
調理済み食品Ｆを収容するためのプラスチック製の弁当ケースであって、
有底の容器であって、内部には間仕切り壁１１・１１…が配設され、これらの間仕切り壁１１・１１…に囲まれて収容部１２・１２…が形成される外容器１と、前記食品Ｆが収容可能な有底の内容器２とを具備して構成されており、
前記外容器１の収容部１２内には食品Ｆを直接収容可能である一方、これら外容器１の収容部１２・１２…の少なくとも一つに適合する形状に作製された前記内容器２が個別に取り出し可能に構成したことを特徴とする弁当ケース。
【請求項２】
内容器２の開口部外周縁にフランジ２１が形成されており、このフランジ２１が外容器１の間仕切り壁１１に接合して収容部１２に嵌合状態に位置決め可能であることを特徴とする請求項１記載の弁当ケース。
【請求項３】
内容器２の底面に脚部突起２２が形成されており、この脚部突起２２が外容器１の収容部１２の底面に衝止して容器下部に空間を形成できることを特徴とする請求項１または２記載の弁当ケース。
【請求項４】
外容器１の収容部１２の底面および／または内容器２の底面が凹面に形成されていることを特徴とする請求項１〜３の何れか一つに記載の弁当ケース。
【請求項５】
外容器１および／または内容器２がポリエチレンテレフタレートで作製されていることを特徴とする請求項１〜４の何れか一つに記載の弁当ケース。
【考案の詳細な説明】
【０００１】
【考案の属する技術分野】
本考案は、弁当ケースの改良、更に詳しくは、各食品を収容した容器のうちから、必要なものだけを取り外して他の食品と独立させて個別に加熱や冷却処理をすることができる弁当ケースに関するものである。
【０００２】
【従来の技術】
周知のとおり、近年の生活様式の多様化により、弁当を宅配するサービスなどが行われており、特に、在宅の老人介護における需要が高い。ところで、弁当は調理から手元に届くまでには不可避的に時間が経ってしまい、衛生管理上、大腸菌が発生し難い温度にするために、本考案者が嘗て発明して特許出願した弁当ケースの冷蔵方法（特願２００２−３７０６５９号）などによって、積極的に冷却して運搬する必要がある。そして、届けられた弁当を美味しく食べるためには、食べる直前に電子レンジなどで再加熱することが望ましい。
【０００３】
しかしながら、通常、弁当は一食分が同じケース内に詰め込まれているため、このように加熱処理を加えようとすると、例えば、生野菜や、デザートの果物などの加熱すると却って本来の風味を損なってしまうものまでも一緒に加熱されてしまうという不都合がある。
【０００４】
【考案が解決しようとする課題】
本考案は、従来の弁当ケースに上記のような問題があったことに鑑みて為されたものであり、その目的とするところは、各食品を収容した容器のうちから、必要なものだけを取り外して他の食品と独立させて個別に加熱や冷却処理をすることができる弁当ケースを提供することにある。
【０００５】
【課題を解決するための手段】
本考案者が上記課題を解決するために採用した手段を添付図面を参照して説明すれば次のとおりである。
【０００６】
即ち、本考案は、調理済み食品Ｆを収容するためのプラスチック製の弁当ケースであって、
有底の容器であって、内部には間仕切り壁１１・１１…が配設され、これらの間仕切り壁１１・１１…に囲まれて収容部１２・１２…が形成される外容器１と、前記食品Ｆが収容可能な有底の内容器２とを具備して構成されており、
前記外容器１の収容部１２内には食品Ｆを直接収容可能である一方、これら外容器１の収容部１２・１２…の少なくとも一つに適合する形状に作製された前記内容器２が個別に取り出し可能に構成するという技術的手段を採用した。
【０００７】
また、本考案は、上記課題を解決するために、必要に応じて上記手段に加え、内容器２の開口部外周縁にフランジ２１が形成されており、このフランジ２１が外容器１の間仕切り壁１１に接合して収容部１２に嵌合状態に位置決め可能にするという技術的手段を採用した。
【０００８】
更にまた、本考案は、上記課題を解決するために、必要に応じて上記手段に加え、内容器２の底面に脚部突起２２が形成されており、この脚部突起２２が外容器１の収容部１２の底面に衝止して容器下部に空間を形成できるようにするという技術的手段を採用した。
【０００９】
更にまた、本考案は、上記課題を解決するために、必要に応じて上記手段に加え、外容器１の収容部１２の底面および／または内容器２の底面を凹面に形成するという技術的手段を採用した。
【００１０】
更にまた、本考案は、上記課題を解決するために、必要に応じて上記手段に加え、外容器１および／または内容器２をポリエチレンテレフタレートで作製するという技術的手段を採用した。
【００１１】
【考案の実施の形態】
本考案の実施形態を具体的に図示した図面に基いて更に詳細に説明すると次のとおりである。
【００１２】
本考案の実施形態を図１から図４に基いて説明する。図中、符号１で指示するものは外容器であり、この外容器１は有底の容器であって、内部には間仕切り壁１１・１１…が配設され、これらの間仕切り壁１１・１１…に囲まれて収容部１２・１２…が形成されている（図２参照）。また、符号２で指示するものは内容器であり、この内容器２は前記食品Ｆを収容可能な有底の容器である（図３参照）。また、外容器１には、適宜、蓋部材３を被冠することができる。
【００１３】
本実施形態では、内容器２の開口部外周縁にフランジ２１が形成されており、このフランジ２１を外容器１の間仕切り壁１１に接合して収容部１２の開口周縁部に嵌合することにより、容易に位置決めが可能であるとともに、当該フランジ２１を摘んで外容器１から取り出し易くすることもできる。
【００１４】
しかして、この弁当ケースは、調理済み食品Ｆを収容するためのプラスチック製の弁当ケースであって、本実施形態では、外容器１および／または内容器２をポリエチレンテレフタレート（ＰＥＴ）で作製し、より耐熱性に優れた製品にすることができ、しかもコストを抑えることもできる。
【００１５】
そして、図４に示すように、外容器１の収容部１２内には食品Ｆを直接収容（盛り付け）可能であり、これら外容器１の収容部１２・１２…の少なくとも一つに適合する形状に作製された前記内容器２が個別に取り出し可能に構成されている。
【００１６】
また、図示したように、食品Ｆのうち、生野菜のサラダや漬物、デザートの果物などの冷却好適食品ＦＣは内容器２に収容することにより、ご飯やおかずなどの加熱好適食品ＦＨとは分けて処理することができる。なお、加熱好適食品ＦＨを内容器２に収容して、それのみを個別に加熱処理するようにした盛り付けの組み合わせは当然に変更することができる。
【００１７】
また、必要に応じて、内容器２の底面に脚部突起２２を形成することにより、この脚部突起２２が外容器１の収容部１２の底面に衝止して容器下部に空間が形成されるので、内容器２への収容量を調節することができるとともに、この空間内の熱伝導により冷却または保温効率を向上させることができる。
【００１８】
更にまた、外容器１の収容部１２の底面および／または内容器２の底面が凹面に形成することによって、隅や隙間などに汚れが溜まらないので、使用後の洗浄作業を容易にすることができる。
【００１９】
本考案は概ね上記のように構成されるが、本考案は図示の実施形態に限定されるものでは決してなく、「実用新案登録請求の範囲」の記載内において種々の変更が可能であって、例えば、弁当ケース１の使用材料は、プラスチック材料であれば、ポリエチレンテレフタレートに限らず、ポリプロピレン（ＰＰ）などの材料を使用しても良く、また、外容器１の収容部１２の形状および内容器２の形状を変更することも可能であり、何れのものも本考案の技術的範囲に属する。
【００２０】
【考案の効果】
以上、実施形態をもって説明したとおり、本考案にあっては、各食品を収容した容器のうちから、必要なものだけを取り外すことができるように構成したことによって、希望の食品のみを他の食品と独立させて個別に加熱や冷却処理をすることができる。また、プラスチック製であるので、成形性が良く、安価であり、大量生産が可能であることから、実用的価値は頗る高いものがあると云える。
【図面の簡単な説明】
【図１】本考案の実施形態の弁当ケースの構造を表わす斜視図である。
【図２】本考案の実施形態の弁当ケースの外容器をを表わす斜視図である。
【図３】本考案の実施形態の弁当ケースの内容器をを表わす説明断面図である。
【図４】本考案の実施形態の弁当ケースの使用状態を表わす斜視図である。
【符号の説明】
１　　外容器
１１　間仕切り壁
１２　収容部
２　　内容器
２１　フランジ
２２　脚部突起
３　　蓋部材
Ｆ　　食品
ＦＣ　冷却好適食品
ＦＨ　加熱好適食品
【図１】
0003098292.tif 000003
【図２】
0003098292.tif 000004
【図３】
0003098292.tif 000005
【図４】
0003098292.tif 000006